(57)【要約】【課題】照明環境を変化させて、その照明環境の下で行われるコミュニケーションを快適なものにすることができる照明装置を提供する。【解決手段】  本発明の照明装置は、ＦＬライト１１と、ＦＬライト１１を被うランプシェード１４と、ランプシェード１４内部に送風するファン１２と、ファン１２の送風量を制御する制御回路１３と、を備える。ランプシェード１２は、その形状が変形可能でかつ空気を透過可能な素材、例えば布素材や和紙等で構成され、ファン１２からの送風量を変化させることにより、その形状が変化する。【選択図】図１
2006228518.tif 000002
【特許請求の範囲】
【請求項１】
光源と、
前記光源を覆うカバー部材と、
前記カバー部材内部に送風する送風手段と、
前記送風手段の送風量の変動制御を行う送風制御手段と、
を備え、
前記カバー部材は、前記送風手段の送風量に応じてその形状が変化するものである照明装置。
【請求項２】
請求項１記載の照明装置であって、
前記送風制御手段は、予め設定されたパターンで前記送風量の変動制御を行う照明装置。
【請求項３】
請求項１記載の照明装置であって、
当該照明装置の周辺状態を検出するセンサを備え、
前記送風制御手段は、前記センサの検出出力に基づいて、前記送風量の変動制御を行う照明装置。
【請求項４】
請求項３記載の照明装置であって、
前記センサは、当該照明装置の周辺における音情報を検出するものである照明装置。
【請求項５】
請求項４記載の照明装置であって、
前記送風制御手段は、前記センサが検出した音量に基づいて、前記送風量の変動制御を行う照明装置。
【請求項６】
複数の照明装置から成る照明システムであって、
前記複数の照明装置のうちの少なくとも１つは、請求項１から５のいずれか１項に記載の照明装置である照明システム。
【請求項７】
請求項６記載の照明システムであって、
前記複数の照明装置のうちの少なくとも１つが備える送風制御手段は、他の照明装置が備える送風制御手段とデータ送受信可能に接続されており、
前記複数の照明装置のうちの少なくとも１つが備える送風制御手段は、当該送風制御手段により制御される送風量に基づく制御信号を、他の照明装置に送信し、
前記他の照明装置が備える送風制御手段は、受信した前記制御信号に基づいて、当該他の照明装置が備える送風手段の送風量を制御する照明装置。
【発明の詳細な説明】
【技術分野】
【０００１】
本発明は、照明装置及び照明システムに関する。
【背景技術】
【０００２】
照明装置は、一般に、白熱電球等の光源を被い、透光性を有する材料により構成されるランプシェード等のカバー部材を通して、光源からの光が照らされるものである。照明装置はカバー部材の形状を変化させることができないものが一般的であり、当該照明装置が照らす照明環境は常に同じものになる。
【０００３】
また、照明装置の中には、明かりをつけるために当該照明装置への電力供給を開始すると、カバー部材が膨らむものがある（非特許文献１参照）。
【０００４】
【非特許文献１】ＵＲＬ＜http://www.gnr8.biz/globlow.html＞
【発明の開示】
【発明が解決しようとする課題】
【０００５】
本発明は、照明環境を変化させて、その照明環境の下で行われるコミュニケーションを快適なものにすることができる照明装置及び照明システムを提供することを目的とする。
【課題を解決するための手段】
【０００６】
本発明の照明装置は、光源と、前記光源を覆うカバー部材と、前記カバー部材内部に送風する送風手段と、前記送風手段の送風量の変動制御を行う送風制御手段と、備え、前記カバー部材は、前記送風手段の送風量に応じてその形状が変化するものである。
【０００７】
この構成によれば、送風手段の送風量に応じて、カバー部材の形状が変化するため、照明装置が照らす照明環境をカバー部材の形状に応じて変化させることができる。その結果、人同士のコミュニケーションをその照明環境に同調させることにより、そのコミュニケーションをより潤滑にしたり、または、照明装置が配置されている環境に適したものにすることができる。
【０００８】
また、本発明の照明装置は、前記送風制御手段が、予め設定されたパターンで前記送風量の変動制御を行うものを含む。
【０００９】
この構成によれば、照明装置が照らす照明環境を変化させることにより、その照明環境下でなされているコミュニケーションを、当該照明装置が配置されている環境に適したものにすることができる。
【００１０】
また、本発明の照明装置は、当該照明装置の周辺状態を検出するセンサを備え、前記送風制御手段は、前記センサの検出出力に基づいて、前記送風量の変動制御を行うものを含む。
【００１１】
また、本発明の照明装置は、前記センサが、当該照明装置の周辺における音情報を検出するものであるものを含む。
【００１２】
また、本発明の照明装置は、前記送風制御手段が、前記センサが検出した音量に基づいて、前記送風量の変動制御を行うものを含む。
【００１３】
この構成によれば、照明装置が配設された場所周辺の情報に基づいて、照明装置が照らす照明環境を変化させることにより、その場所周辺でなされているコミュニケーションに適した照明環境を提供して、そのコミュニケーションをより潤滑に行うことができる。
【００１４】
本発明の照明システムは、複数の照明装置から成る照明システムであって、前記複数の照明装置のうちの少なくとも１つが、本発明の照明装置であるものである。
【００１５】
また、本発明の照明システムは、前記複数の照明装置のうちの少なくとも１つが備える送風制御手段が、他の照明装置が備える送風制御手段とデータ送受信可能に接続されており、前記複数の照明装置のうちの少なくとも１つが備える送風制御手段が、当該送風制御手段により制御される送風量に基づく制御信号を、他の照明装置に送信し、前記他の照明装置が備える送風制御手段は、受信した前記制御信号に基づいて、当該他の照明装置が備える送風手段の送風量を制御するものを含む。
【００１６】
この構成によれば、広範囲に渡ってなされているコミュニケーションを、より潤滑にしたり、照明装置が配置されている環境に適したものにすることができる。
【発明の効果】
【００１７】
本発明の照明装置によれば、照明環境を変化させて、その照明環境の下で行われるコミュニケーションを快適なものにすることができる。
【発明を実施するための最良の形態】
【００１８】
（第１実施形態）
本発明の第１実施形態の照明装置について、図面を参照して詳細に説明する。図１に、本発明の第１実施形態の照明装置の側面図を、図２に、本発明の第１実施形態の照明装置の平面図を、それぞれ示す。
【００１９】
本発明の第１実施形態の照明装置は、ＦＬライト１１、ファン１２、制御回路１３、ランプシェード１４、天板１５、機構部目隠し１６、ケーブル１７を含んで構成される。図１、２の照明装置においては、略球形のランプシェード１４内部の中央付近に、制御回路１３に接続されたＦＬライト１１が配設されており、また、ランプシェード１４内部の天頂付近に、制御回路１３に接続されたファン１２が配設されている。また、照明装置の天頂部には制御回路１３を取り付けられた天板１５が設けられており、上述のランプシェード１４の天頂付近部分は天板１５の端部に接着されている。なお、本発明の第１実施形態の照明装置は、ファン１２がランプシェード内部に配設される構造のために、ファン１２がＦＬライト１１からの光を反射して、ファン１２の像をランプシェード１４上に投影されてしまうことが考えられるため、これを防ぐためにファン１２を覆うように機構部目隠し１６を設けている。
【００２０】
ＦＬライト１１は、照明装置の光源となるものであり、制御回路１３に含まれる電源回路からの電力供給を受けて、点灯する。なお、光源としては、ＦＬライトに限らず、蛍光灯、白熱灯等の各種電灯を利用することができる。
【００２１】
ファン１２は、制御回路１３に含まれる電源回路からの電力供給を受けて回転し、ランプシェード１４内部に送風するものである。
【００２２】
制御回路１３は、照明装置点灯用のスイッチ（図示せず）の切替を受け付けてＦＬライト１１の点灯、消灯の切替を制御したり、ファン１２の回転速度を調節してランプシェード１４内部に送り込む送風量を制御する。制御回路１３は、予め設定されたプログラムに基づいて上述の制御処理を行うマイクロチップ、ケーブル１７から供給される電力をＦＬライト１１、ファン１２、および、マイクロチップに供給する電力回路、を少なくとも含んで構成される。
【００２３】
ランプシェード１４は、光源であるＦＬライト１１を覆うものであり、その形状が変形可能でかつ空気を透過可能な素材、例えば布素材や和紙等で構成される。したがって、ファン１２からの送風量を変化させることにより、その形状が変化させることができる。図１、２のランプシェード１４の形状は、円形になっているが、これは、ファン１２からの送風量よりランプシェード１４から透過する空気量より多く、ランプシェード１４の内外の圧力差がランプシェード１４を膨らませることができる以上に大きい場合である。ファン１２からの送風量が減少して圧力差が減少すると、ランプシェード１４の重さにより、、ランプシェード１４の形状は、図３に示すような鉛直方向に伸びた形状になる。この鉛直方向への伸びは、ファン１２からの送風量と、ランプシェード１４の材質、重さ等によって定まる。
【００２４】
ところで、近年、人同士のコミュニケーションは、そのコミュニケーション中に得られる視覚情報に同調して、変化することが報告されている。例えば、海を視界に入れながら会話を行うと、その会話は、波の満ち引きのリズムに合わせたものになる傾向にある。したがって、照明装置の外形形状及びその照明装置による照明状態を変化させると、その照明下でのコミュニケーションが快適なものとなることが期待できる。図１〜図３に示す照明装置は、ランプシェードの形状を変化させるとともに照明状態を変化させることができるので、人同士のコミュニケーションをその照明状態に同調させることにより、そのコミュニケーションをより潤滑にしたり、または、照明装置が配置されている環境に適したものにすることができる。以下、制御回路１３によるファン１２の制御の具体例を説明する。
【００２５】
本発明の照明装置を利用して、会話中に発言し易い照明状態を生成して、その会話をより潤滑にするような環境を提供する場合を考える。
【００２６】
照明装置により広範囲に渡って照らされている環境下では、発言回数が増加する傾向にあることが報告されている。このため、制御回路１３は、ファン１２の回転速度を所定の回転速度、具体的には図１、２のランプシェードの形状になる程度の送風量が得られる回転速度まで上げるよう制御する。ランプシェード１４は、ファン１２からの送風により発生する風力を受けて、その形状を円形へと変化する。ランプシェード１４が円形になった照明装置は、全方位に向けて照らし出すことができる、すなわち広範囲に渡って照らし出すことができるため、当該照明装置の周辺でなされている会話における発言回数の増加を促進して、その会話をより潤滑にすることができる。
【００２７】
逆に、本発明の照明装置を利用して、会話を抑制する照明状態を生成して、当該照明装置が配置されている場所に適した環境を作り出す場合を考える。
【００２８】
照明装置により狭い範囲を照らされている環境下では、会話を行い難い傾向にあることが報告されている。このため、制御回路１３は、ファン１２の回転速度を所定の回転速度、具体的にはランプシェードの形状が図３に示すような鉛直方向に伸びた形状になる程度の回転速度まで下げるよう制御する。ランプシェード１４は、ファン１２からの送風量が減少するため、その形状を徐々に鉛直方向に伸びた形状へと変化する。ランプシェード１４が鉛直方向に伸びた形状になった照明装置は、主に鉛直方向に向けて照らし出すことになる、すなわち狭い範囲を照らし出すことになるため、当該照明装置の周辺でなされている会話を行い難くして、当該照明装置が配置されている場所に適した環境を作りだすことができる。
【００２９】
なお、ランプシェード１４の楕円形状の鉛直方向への伸びが長くなるほど、照明装置が照らし出す範囲は狭くなるため、当該照明装置が配置されている場所に適した鉛直方向への伸びを設定、すなわちファン１２の回転速度を制御回路１３に設定しておき、制御回路１３は、その回転速度にしたがって、ファン１２の回転速度を調節するようにする。
【００３０】
以上のように、ファン１２の回転速度を変化させることにより、ランプシェード１４の形状を変化させ、照明範囲を変化させることにより、照明状態を変化させることができる。なお、ファン１２の回転速度、すなわちランプシェード１４内部への送風量は、予め設定されたパターン又は外部からの制御信号に基づいて変化させる。設定されるパターンにおける回転速度の変化周期、振幅は、一定でもよいし、ランダムに変化させてもよい。
【００３１】
以上、本発明の第１実施形態の照明装置によれば、人同士のコミュニケーションの場の状態に応じてその照明状態を変化させ、コミュニケーションをより潤滑にしたり、または、照明装置が配置されている環境に適したものにすることができる。
【００３２】
（第２実施形態）
本発明の第２実施形態の照明装置について、詳細に説明する。本発明の第２実施形態の照明装置は、本発明の第１実施形態の照明装置の構成に加えて、音を検出する音センサを備えており、音センサが検出した音情報が制御回路１３に入力される。この音センサは、当該照明装置の照明範囲の音を検出することができる位置に設けられる。したがって、図１から図４にしめすような照明装置と一体に設けてもよいし、照明装置設置位置近傍の適宜の箇所に設けてもよい。照明装置と一体に設ける場合もランプシェード１４の内側に設けてもよいし、外側に設けてもよい。本発明の第２実施形態の照明装置は、音センサからの信号線が制御回路１３に接続される以外、第１実施形態で述べた内容と同一であるため、説明を省略する。以下、音センサから入力される音情報に基づいた、制御回路１３によるファン１２の制御の具体例を説明する。
【００３３】
制御回路１３は、音センサが検出する音情報のうちの音の大きさ（音量）に基づいて、ファン１２の回転速度を制御する。音センサは、当該照明装置の照明範囲内でなされている会話の音声を含む、音情報を検出し、制御回路１３に出力する。制御回路１３は、入力した音情報から音量を抽出し、所定の基準値と比較し、大きければ、ファン１２の回転速度を上げるよう制御し、逆に小さければ、ファン１２の回転速度を下げるよう制御する。制御回路１３は、ファン１２の回転速度を制御した後、抽出した音量を、新たな音量の基準値として設定し、次のタイミングで音センサから音情報が入力されるのを待つ待ち受け状態になる。以後、制御回路１３は、上述の処理を繰り返し行う。したがって、照明装置のランプシェード１４には、音量に応じた空気が送風されることになり、ランプシェード１４の形状を変化させることができる。
【００３４】
音量に基づいてファン１２の回転速度を制御する場合、音量とファン１２の回転速度を対応付けて制御してもよい。具体的には、制御回路１３に音量と対応する回転速度とを対応付けた対応テーブルを記憶しておき、音センサから音情報を所定の時間間隔で入力する度に音量を抽出し、対応テーブルを参照して、対応する回転速度にファン１２の回転速度を制御する。制御回路１３は、ファン１２の回転速度を制御した後、音センサから次の音の大きさについての情報が入力されるのを待つ待ち受け状態になる。以後、制御回路１３は、上述の処理を繰り返し行う。
【００３５】
上述のように、音量を判定基準にした制御を行うと、会話の雰囲気をその会話において生じる音声の大きさにより判定し、その会話の雰囲気を反映した照明状態により会話がなされている場を照らすことにより、会話が盛り上がっている（会話中の音の大きさが大きい）場合は、さらに会話が盛り上がるよう照明装置の照明範囲を広くして照らし出させ、逆に、会話が落ち着いている（会話中の音の大きさが小さい）場合は、さらに会話が落ち着いた雰囲気になるよう照明装置の照明範囲を狭くして照らし出させることができ、照明装置が配設された周辺でなされている会話をより潤滑にすることができる。
【００３６】
なお、上述の２例では、制御回路１３が、音センサで検出した情報から音量を抽出し、抽出した音量に基づいて、ファン１２の回転速度を制御するものとしたが、ファン１２の回転速度は音量以外の変量に基づいて制御することもできる。例えば、音の周波数情報、無音状態の継続時間等に基づいてファン12の回転速度を制御するようにしてもよい。
【００３７】
音センサが検出する音情報のうちの周波数情報に基づいて、ファン１２の回転速度を制御する場合、制御回路１３は、上述の２例の処理を、特定の周波数における音声の大きさに対して行う。それ以外の音センサおよび制御回路１３の処理は、上述の２例の処理と同様であるため、説明を省略する。
【００３８】
このように、音の周波数情報を判定基準にすると、特徴的な音声、例えば笑い声や歓声、あるいは、音楽のリズム、に応じて、照明装置の照明範囲を変化させることにより、照明装置が配設された周辺環境に適した照明範囲を照らし出させることができ、その周辺環境の雰囲気をより好ましい状態にすることができる。
【００３９】
次に、音センサが検出する音情報のうちの無音状態の継続時間に基づいて、制御回路１３がファン１２の回転速度を制御する例について説明する。ここで、無音状態とは、音センサが検出する音の大きさが、会話をしていないと判定される所定の閾値よりも低い状態を指す。制御回路１３は、音センサから音情報に基づいて音量を抽出し、その音量を所定の閾値と比較し、小さければ、その時点（Ａ）から時間計測を開始する。制御回路１３は、時間計測を開始して以降も、音センサから音の大きさについての情報を入力する毎に、その音の大きさを所定の閾値と比較し、小さければ、時間計測を継続する。その後、制御回路１３は、検出した音量が所定の閾値より大きくなったその時点（Ｂ）で時間計測を終了する。
【００４０】
制御回路１３は、無音状態の継続時間に相当する時点（Ａ）から時点（Ｂ）までの時間間隔を所定の基準時間と比較し、小さければ、ファン１２の回転速度を上げるよう制御し、逆に大きければ、ファン１２の回転速度を下げるよう制御する。制御回路１３は、ファン１２の回転速度を制御した後、計測した時点（Ａ）から時点（Ｂ）までの時間間隔を新たな所定の基準時間として設定し、次のタイミングで音センサから音情報が入力されるのを待つ待ち受け状態になる。以後、制御回路１３は、上述の処理を繰り返し行う。
【００４１】
このように、無音状態の継続期間を判定基準にすると、会話の雰囲気をその会話において発生する無音状態の継続期間により判定し、その会話の雰囲気を反映した照明状態により会話がなされている場を照らすことにより、会話が盛り上がっている（会話中の無音状態の継続時間が小さい）場合は、さらに会話が盛り上がるよう照明装置の照明範囲を広くして照らし出させ、逆に、会話が落ち着いている（会話中の無音状態の継続時間が大きい）場合は、さらに会話が落ち着いた雰囲気になるよう照明装置の照明範囲を狭くして照らし出させることができ、照明装置が配設された周辺でなされている会話をより潤滑にすることができる。
【００４２】
また、無音状態の継続期間を判定基準にする場合、無音状態の継続期間が短い場合にファン１２の回転速度を下げ、継続期間が長い場合にファン１２の回転速度を上げることも可能である。このような制御を行うと、議論が白熱した場合等に場を落ち着かせ、議論が停滞した場合等に場を盛り上げることが期待できる。
【００４３】
上述の４例では、制御回路１３がファン１２の回転速度を上げる、または、下げるよう制御すると述べたが、この上げる際、または、下げる際の加速度も制御することにより、さらに効果的に、照明装置が配設された周辺でなされている会話を潤滑にすることができる。
【００４４】
制御回路１３がファン１２の回転速度を上げる際の加速度を大きくすることにより、つまり、ファン１２の回転速度を急激に上げることにより、ランプシェード１４の形状もまた急激に変化して、円形に近づく。これにより、当該照明装置の周辺でなされている会話における発言回数の増加を促進して、その会話をより潤滑にすることができるという効果が急峻になる。一方、制御回路１３がファン１２の回転速度を下げる際の加速度を大きくすることにより、つまり、ファン１２の回転速度を急激に下げることにより、ランプシェード１４の形状もまた急激に変化して、楕円形に近づく。これにより、当該照明装置の周辺でなされている会話を行い難くして、当該照明装置が配置されている場所に適した環境を作りだすことができるという効果が急峻になる。
【００４５】
逆に、制御回路１３がファン１２の回転速度を上げる際の加速度を小さくすることにより、つまり、ファン１２の回転速度を緩やかに上げることにより、ランプシェード１４の形状もまた緩やかに変化して、円形に近づく。これにより、当該照明装置の周辺でなされている会話における発言回数の増加を促進して、その会話をより潤滑にすることができるという効果が持続し易い。一方、制御回路１３がファン１２の回転速度を下げる際の加速度を小さくすることにより、つまり、ファン１２の回転速度を穏やかに下げることにより、ランプシェード１４の形状もまた穏やかに変化して、楕円形に近づく。これにより、当該照明装置の周辺でなされている会話を行い難くして、当該照明装置が配置されている場所に適した環境を作りだすことができるという効果が持続し易い。
【００４６】
なお、以上の説明では、音センサを照明装置の周辺状態を検出するセンサとして設けたが、他の変量を検出するセンサを利用してもよい。例えば、赤外線センサを設けると、照明装置周辺の物体の移動を検出することができるので、照明装置周辺の人のアクションに応じた回転制御を行うことができる。また、圧力センサを照明空間内の椅子に設置し、センサへの入力の頻度、加重量を計測することで一定時間内にどのくらいの頻度で人が動いたか（アクションを取ったか ）を測定することができ、明装置周辺の人のアクションに応じた回転制御を行うことができる。
【００４７】
（第３実施形態）
本発明の第１実施形態又は２実施形態の照明装置を少なくとも１つを含む、複数個の照明装置により構成される照明システムについて、詳細に説明する。図４に、本発明の照明システムの構成の一例を示す。
【００４８】
図４照明システムは、本発明の第１実施形態の照明装置４個（Ａ、Ｂ、Ｃ、Ｄ）により構成される照明システムである。照明装置Ａ、Ｂ、Ｃ、Ｄの制御回路１３ａ、１３ｂ、１３ｃ、１３ｄは各々、ケーブル１７ａ、１７ｂ、１７ｃ、１７ｄを介して接続されており、制御回路１３ａ、１３ｂ、１３ｃ、１３ｄの間でデータの送受信を行うように構成されている。以下、本発明の照明システムの照明装置Ａ、Ｂ、Ｃ、Ｄによるファン１２ａ、１２ｂ、１２ｃ、１２ｄの制御について説明する。
【００４９】
照明装置Ａは、第１実施形態で述べたように、設定されたパターンでファン１２ａの回転速度を制御するとともに、ファン１２ａに対して行った制御と同様の制御を行うよう指示する制御信号を他の照明装置Ｂ、Ｃ、Ｄに送信する。
【００５０】
照明装置Ｂ、Ｃ、Ｄは、照明装置Ａからその制御信号を受信すると、その制御信号に従った回転速度により、各々のファン１２ｂ、１２ｃ、１２ｄを回転させるよう制御する。
【００５１】
このシステムにより、１つの照明装置によるファンの制御に従って、他の照明装置も同様のファンの制御を行うことができるため、より広い照明範囲において、人同士のコミュニケーションをその照明状態に同調させることにより、そのコミュニケーションをより潤滑にしたり、照明装置が配置されている環境に適したものにすることができる。
【００５２】
図５に、本発明の照明システムの構成の他の例を示す。図５の照明システムは、本発明の第２実施形態の照明装置Ａと、本発明の第１実施形態の照明装置Ｂ、Ｃ、Ｄにより構成される照明システムである。照明装置Ａ、Ｂ、Ｃ、Ｄの制御回路１３ａ、１３ｂ、１３ｃ、１３ｄは各々、ケーブル１７ａ、１７ｂ、１７ｃ、１７ｄを介して接続されており、制御回路１３ａ、１３ｂ、１３ｃ、１３ｄの間でデータの送受信を行うように構成されている。以下、本発明の照明システムの照明装置Ａ、Ｂ、Ｃ、Ｄによるファン１２ａ、１２ｂ、１２ｃ、１２ｄの制御について説明する。
【００５３】
照明装置Ａは、第２実施形態で述べた処理を行って照明装置Ａのファン１２ａの回転速度を制御するのと同時に、ファン１２ａに対して行った制御と同様の制御を行うよう指示する制御信号を他の照明装置Ｂ、Ｃ、Ｄに送信する。
【００５４】
照明装置Ｂ、Ｃ、Ｄは、照明装置Ａからその制御信号を受信すると、その制御信号に従った回転速度により、各々のファン１２ｂ、１２ｃ、１２ｄを回転させるよう制御する。
【００５５】
このシステムにより、１つの照明装置によるファンの制御に従って、他の照明装置も同様のファンの制御を行うことができるため、広い範囲で会話がなされている場合でも、そのコミュニケーションをより潤滑にしたものにすることができる。
【００５６】
上述の２つの例の照明システムにおける照明装置Ｂ、Ｃ、Ｄは、照明装置Ａが行った回転速度の制御と同様の回転速度により、各々のファン１２ｂ、１２ｃ、１２ｄを制御するように記載したが、同様の回転速度に限るものではない。照明装置Ｂ、Ｃ、Ｄは、照明装置Ａが制御した回転速度とは異なる回転速度により制御するようにしても良い。例えば、照明装置Ｂ、Ｃ、Ｄは、照明装置Ａが制御した回転速度が大きければ、回転速度を小さくするように制御する。このシステムにより、照明装置が配設された場所ごとに異なる多彩な照明環境を提供することができる。
【００５７】
図６に、本発明の照明システムの構成の別の例を示す。図６の照明システムは、本発明の第２実施形態の照明装置４個（Ａ、Ｂ、Ｃ、Ｄ）により構成される照明システムである。照明装置Ａ、Ｂ、Ｃ、Ｄの制御回路１３ａ、１３ｂ、１３ｃ、１３ｄは各々、共通の音センサに接続されている。照明装置Ａ、Ｂ、C、Dは、第２実施形態で述べた処理を行って各々のファン１２ａ１２ｂ、１２ｃ、１２ｄの回転速度を制御する。
【００５８】
このシステムにより、より広い照明範囲において、照明装置が配設された周辺でなされている会話をより潤滑にすることができる。
【産業上の利用可能性】
【００５９】
本発明の照明装置によれば、照明環境を変化させて、その照明環境の下で行われるコミュニケーションを快適なものにすることができるという効果を奏し、従来の照明装置では成し得なかった新たな照明装置の利用形態を提供することができる。
【図面の簡単な説明】
【００６０】
【図１】本発明の第１実施形態の照明装置の側面図
【図２】本発明の第１実施形態の照明装置の平面図
【図３】本発明の第１実施形態の照明装置の側面図
【図４】本発明の照明システムの構成の一例を示す図
【図５】本発明の照明システムの構成の他の例を示す図
【図６】本発明の照明システムの構成の別の例を示す図
【符号の説明】
【００６１】
１１  ＦＬライト
１２  ファン
１３  制御回路
１４  ランプシェード
１５  天板
１６  機構部目隠し
１７  ケーブル
【図１】
2006228518.tif 000003
【図２】
2006228518.tif 000004
【図３】
2006228518.tif 000005
【図４】
2006228518.tif 000006
【図５】
2006228518.tif 000007
【図６】
2006228518.tif 000008